(57)【要約】【課題】本発明には、レンズモジュールが提供される。【解決手段】レンズモジュールは、鏡筒と、鏡筒内に収容されるレンズ群とを備え、鏡筒は、光通過孔が形成される第１筒壁と、第１筒壁から折り曲げて延びる第２筒壁とを含み、第１筒壁は、像側に近い第１表面と、物体側に近い第２表面とを含み、鏡筒は内壁面を有し、レンズ群は、少なくとも内壁面と互いに合わせる第１レンズを含み、第１レンズは、光学部と、光学部を取り囲む周辺部とを含み、第１レンズの周辺部の物体側面は、第１レンズの円周に沿って均一に配置される少なくとも２つの突起部を含み、突起部は第１レンズから第１筒壁へ突出し、第１表面は、突起部に対応する第１溝部を含み、突起部は第１溝部に収容かつ固定される。本発明のレンズモジュールは、外径の精度を確保することができるとともに、鏡筒との合わせがより精確になり、レンズの安定性を向上させ、合わせの精度が高くなり、合わせが安定になり、レンズの全体的な性能を向上させる。【選択図】図１
2020086447.tif 000002
【特許請求の範囲】
【請求項１】
鏡筒と、前記鏡筒内に収容されるレンズ群とを備え、前記鏡筒は、光通過孔が形成される第１筒壁と、前記第１筒壁から折り曲げて延びる第２筒壁とを含み、前記第１筒壁は、像側に近い第１表面と、物体側に近い第２表面とを含み、前記鏡筒は内壁面を有し、前記レンズ群は、少なくとも前記内壁面と互いに合わせる第１レンズを含み、前記第１レンズは、光学部と、前記光学部を取り囲む周辺部とを含むレンズモジュールであって、前記第１レンズの周辺部の物体側面は、前記第１レンズの円周に沿って均一に配置される少なくとも２つの突起部を含み、前記突起部は前記第１レンズから前記第１筒壁へ突出し、前記第１表面は、前記突起部に対応する第１溝部を含み、前記突起部は前記第１溝部に収容かつ固定されることを特徴とするレンズモジュール。
【請求項２】
前記突起部の数は３つであり、３つの前記突起部は第１レンズの円周に沿って等間隔に設置されていることを特徴とする請求項１に記載のレンズモジュール。
【請求項３】
前記突起部は前記光学部と間隔をあけて設置されており、前記突起部は前記周辺部の外縁から光軸方向へ延びかつ前記光学部まで延びていないことを特徴とする請求項１に記載のレンズモジュール。
【請求項４】
前記第１溝の溝幅は像側から物体側へ次第に小さくなることを特徴とする請求項１に記載のレンズモジュール。
【請求項５】
前記第１溝は、溝底面と、前記溝底面に繋がりかつ前記溝底面から前記第１レンズに鉛直に延びる第１側壁及び第２側壁とを含むことを特徴とする請求項４に記載のレンズモジュール。
【請求項６】
前記突起部は、第２筒壁に近い第１側面を含み、前記第１側面は前記第２側壁と貼り合わせていることを特徴とする請求項５に記載のレンズモジュール。
【請求項７】
前記突起部は、光軸に近い第２側面をさらに含み、前記第２側面は前記第１側壁と間隔をあけて設置されていることを特徴とする請求項５に記載のレンズモジュール。
【請求項８】
前記第１レンズの周辺部の物体側面は、前記突起部に繋がる第１平面をさらに含み、前記第１平面の一部は前記第１表面と貼り合わせていることを特徴とする請求項１に記載のレンズモジュール。
【請求項９】
前記第１レンズの周辺部の像側面は前記突起部に対応する第２溝部を含むことを特徴とする請求項１に記載のレンズモジュール。
【請求項１０】
前記第１レンズはプラスチックレンズであることを特徴とする請求項１に記載のレンズモジュール。
【発明の詳細な説明】
【技術分野】
【０００１】
本発明は、撮影レンズの分野に関し、具体的にレンズモジュールに関する。
【背景技術】
【０００２】
科学技術の絶え間ない発展に伴い、電子機器は絶え間なくスマート化へ発展しつつある。デジタルカメラの以外、タブレットＰＣ、携帯電話等の携帯型の電子機器にもレンズモジュールが配置されている。人々の使用ニーズを満たすために、レンズモジュールによって撮影された物体の映像品質に対する要求もますます高くなる。
【０００３】
しかしながら、従来のレンズの構造では、一般的に第１レンズの外径部分を鏡筒の内壁と合わせることを用い、ガラスレンズの外径の寸法の精度が悪いため、組立不良がよく発生し、レンズの性能を損なってしまう。従来の合わせの方式には依然として大きな改良の余地があり、ガラスレンズと各部材との合わせの更なる安定、レンズの全体的な性能の向上を図るために、新型のレンズモジュールを提供する必要がある。
【発明の概要】
【課題を解決するための手段】
【０００４】
上記の問題を解決するために、本発明には、鏡筒と、鏡筒内に収容されるレンズ群とを備え、前記鏡筒は、光通過孔が形成される第１筒壁と、第１筒壁から折り曲げて延びる第２筒壁とを含み、前記第１筒壁は、像側に近い第１表面と、物体側に近い第２表面とを含み、前記鏡筒は内壁面を有し、前記レンズ群は、少なくとも前記内壁面と互いに合わせる第１レンズを含み、前記第１レンズは、光学部と、光学部を取り囲む周辺部とを含み、前記第１レンズの周辺部の物体側面は、第１レンズの円周に沿って均一に配置される少なくとも２つの突起部を含み、前記突起部は第１レンズから前記第１筒壁へ突出し、前記第１表面は、前記突起部に対応する第１溝部を含み、前記突起部は前記第１溝部に収容かつ固定されるレンズモジュールが提供される。
【０００５】
１つの改良として、前記突起部の数は３つであり、３つの前記突起部は第１レンズの円周に沿って等間隔に設置されている。
【０００６】
１つの改良として、前記突起部は前記光学部と間隔をあけて設置されており、前記突起部は前記周辺部の外縁から光軸方向へ延びかつ前記光学部まで延びていない。
【０００７】
１つの改良として、前記第１溝の溝幅は像側から物体側へ次第に小さくなる。
【０００８】
１つの改良として、前記第１溝は、溝底面と、溝底面に繋がりかつ溝底面から第１レンズに鉛直に延びる第１側壁及び第２側壁とを含む。
【０００９】
１つの改良として、前記突起部は、第２筒壁に近い第１側面を含み、前記第１側面は前記第２側壁と貼り合わせている。
【００１０】
１つの改良として、前記突起部は、光軸に近い第２側面をさらに含み、前記第２側面は前記第１側壁と間隔をあけて設置されている。
【００１１】
１つの改良として、前記第１レンズの周辺部の物体側面は、前記突起部に繋がる第１平面をさらに含み、前記第１平面の一部は前記第１表面と貼り合わせている。
【００１２】
１つの改良として、前記第１レンズの周辺部の像側面は前記突起部に対応する第２溝部を含む。
【００１３】
１つの改良として、前記第１レンズはプラスチックレンズである。
【発明の効果】
【００１４】
本発明の有益な効果は下記の通りである。
【００１５】
本発明のレンズモジュールは、第１レンズの周辺部の構造を改良し、外径の精度を確保することができるとともに、鏡筒との合わせがより精確になり、レンズの安定性を向上させ、合わせの精度が高くなり、合わせが安定になり、レンズの全体的な性能を向上させる。
【図面の簡単な説明】
【００１６】
【図１】本発明のレンズモジュールの構成の断面図である。
【図２】他の角度から見た本発明のレンズモジュールの構成の断面図である。
【図３】本発明の鏡筒の構成の断面図である。
【図４】本発明の第１レンズの斜視図である。
【図５】本発明の第１レンズの平面図である。
【発明を実施するための形態】
【００１７】
本発明の方案及びその利点をよりよく理解できるように、以下、具体的な実施形態を図面と組み合わせて本発明をさらに詳細に説明する。以下の実施例では、紙面の左右方向を水平方向とし、紙面の水平方向に垂直な方向、即ち紙面の上下方向を鉛直方向とする。本発明では、中心軸線の方向は鉛直方向に平行である。
【００１８】
（第１実施例）
図１、図２及び図３に示されるように、本発明には、鏡筒１と、鏡筒１内に収容されるレンズ群２とを備え、そのうち、レンズ群２は、少なくとも鏡筒１と互いに合わせる第１レンズ２１を含む新型のレンズモジュールが提供される。
【００１９】
本実施例では、図３に示されるように、鏡筒１は、光通過孔３が形成されかつ水平方向に延びる第１筒壁１１と、第１筒壁１１から折り曲げて延びる第２筒壁１２と、第１筒壁１１と第２筒壁１２によって形成された収容空間とを含み、そのうち、第１筒壁１１は、像側に近い第１表面１１１と、物体側に近い第２表面１１３とを含み、鏡筒１は１つの全体構造として構成されてもよいし、別体構造として構成されてもよい。
【００２０】
第１レンズ２１と鏡筒１との合わせの精度や組み立ての歩留まりを向上させるために、第１レンズ２１の構造を改良し、具体的な方案は下記の通りである。
【００２１】
図１、図４及び図５に示されるように、第１レンズ２１の上面は物体側面であり、第１レンズ２１の下面は像側面であり、第１レンズ２１は、光学部２２と、光学部２２を取り囲む周辺部２３とを含み、第１レンズ２１の周辺部２３の物体側面は、第１レンズ２１の円周に沿って均一に配置される３つの突起部２４を含み、上記の３つの突起部２４は等間隔に設置されることが好ましいが、不等間隔に設置されてもよく、突起部２４は第１レンズ２１から第１筒壁１１の第１表面１１１へ突出し、突起部２４は光学部２２と間隔をあけて設置されており、突起部２４は周辺部２３の外縁から光軸方向へ延びかつ光学部２２まで延びておらず、突起部２４は、第２筒壁１２に近い第１側面２４１と、光軸Ｘに近い第２側面２４２とを含み、第1側面２４１は第２筒壁１２の内壁面と貼り合わせており、突起部２４は、物体側に近くかつ第１面１１１と間隔をあけて設置される上面２４３をさらに含み、第１レンズ２１の周辺部２３の物体側面は、突起部２４に繋がる第１平面２１１をさらに含み、第１平面２１１は円環面であり、第１平面２１１の一部は第１筒壁１１の第１表面１１１と貼り合わせている。
【００２２】
さらに、図３に示されるように、第１筒壁１１の第１表面１１１は、突起部２４に対応する第１溝部２５を含み、突起部２４は第１溝部２５に収容かつ固定され、第１溝２５は、溝底面２５１と、溝底面２５１に繋がりかつ溝底面２５１から第１レンズ２１に鉛直に延びる第１側壁２５２及び第２側壁２５３とを含み、第１側壁２５２は第２側壁２５３よりも光軸Ｘに近く、第１側壁２５２は突起部２４の第２側面２４２と間隔をあけて設置され、第２側壁２５３は突起部２４の第１側面２４１の側面と貼り合わせており、第１溝２５の溝幅は像側から物体側まで次第に小さくなり、具体的に、図２及び図４から分かるように、突起部２４は第１レンズ２１から上向きに斜めに延びる第１傾斜面２４４及び第２傾斜面２４５を含み、第１傾斜面２４４及び第２傾斜面２４５は上面２４３と滑らかな移行面を通じて繋がっており、又は直接的に角度をなして繋がっており、第１傾斜面２４４及び第２傾斜面２４５は第１溝２５の内壁面と貼り合わせている。
【００２３】
また、図４及び図５に示されるように、第１レンズ２１の周辺部２３の像側面は突起部２４に対応する第２溝部２６を含み、第２溝部２６は突起部２４の形状と一致し、これにより、第１レンズ２１は第１レンズ２１の構造と同じ第２レンズ２７と互いに合わせることができる。また、第１レンズ２１はプラスチックレンズであることが好ましいが、他の材質のレンズであってもよい。
【００２４】
上記の構造において、３つの突起部２４は第１レンズ２１を３つの部分に均一に仕切って鏡筒１の内壁面と互いに合わせ、これによって、第１レンズ２１と鏡筒１との間の承接はより平坦になり、レンズの外径の精度を確保するとともに、レンズと鏡筒との合わせの精度も確保し、レンズの安定性を向上させる。
【００２５】
また、レンズ群２は、第１レンズ２１の像側に位置する第２レンズ２７、第３レンズ２８及び第４レンズ２９等をさらに含み、第２レンズ２７、第３レンズ２８及び第４レンズ２９はガラスレンズであってもよいし、プラスチックレンズ又は他の材質のレンズであってもよい。また、レンズ群２におけるレンズの数はこれに限らない。また、レンズの間に遮光部材を設けてもよく、遮光部材は遮光シート又は遮光板であってもよいが、遮光部材を省略してもよい。
【００２６】
従来技術に比べて、本発明のレンズモジュールは、第１レンズの周辺部の構造を改良し、外径の精度を確保することができるとともに、鏡筒との合わせがより精確になり、レンズの安定性を向上させ、合わせの精度が高くなり、合わせが安定になり、レンズの全体的な性能を向上させる。
【００２７】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
2020086447.tif 000003
【図２】
2020086447.tif 000004
【図３】
2020086447.tif 000005
【図４】
2020086447.tif 000006
【図５】
2020086447.tif 000007